(57)【要約】【課題】  手に装着していても不要に手の動作を制限せず、装着時に正確な装着位置に容易に装着することが可能な、手相形成促進のための用具を提供する。【解決手段】  手相の形成を促進するための、手相形成促進用手袋であって、手袋本体１と、掌に皺を形成するように掌を締め付けることができるように配置される手相形成ストラップ部材２とを有している。【選択図】図１
0003161609.tif 000002
【実用新案登録請求の範囲】
【請求項１】
手相の形成を促進する手相形成促進用手袋であって、
手袋本体と、
親指の付け根と人差し指の付け根の間部分、手の甲、小指の付け根側の手の側面、および掌を通る周上の少なくとも一部に配され、前記親指の付け根と人差し指の付け根の間部分と前記小指の付け根側の手の側面を近づけて前記掌に皺を形成するように、前記掌を締め付けることができるように配置される手相形成ストラップ部材と、
を有することを特徴とする、手相形成促進用手袋。
【請求項２】
前記手相形成ストラップ部材の長さを調節するための留め具を有していることを特徴とする、請求項１に記載の手相形成促進用手袋。
【請求項３】
前記手相形成ストラップ部材は摺動可能に前記手袋本体に取り付けられていることを特徴とする、請求項１または２に記載の手相形成促進用手袋。
【請求項４】
請求項１または２に記載の手相形成促進用手袋であって、前記手相形成ストラップ部材は前記手袋本体に固定されていることを特徴とする、手相形成促進用手袋。
【請求項５】
前記手袋本体には、前記手袋本体の外側と内側とを連通させるストラップ導入穴が形成されており、前記手相形成ストラップ部材が前記ストラップ導入穴を通過して配置されることを特徴とする、請求項１から４のいずれか一つに記載の手相形成促進用手袋。
【請求項６】
前記手袋本体の内側で前記ストラップ導入穴同士を連結するストラップ導入通路を有し、前記ストラップ導入通路は、前記手相形成ストラップ部材が前記ストラップ導入穴を通って手袋の内側に配置される際に、前記ストラップ導入通路の内部を通過するように構成されていることを特徴とする、請求項５に記載の手相形成促進用手袋。
【請求項７】
前記手袋本体は、前記手相形成ストラップ部材が通過するストラップ部材ガイドを有していることを特徴とする、請求項１から６のいずれか一つに記載の手相形成促進用手袋。
【請求項８】
前記手相形成ストラップ部材は、伸縮性の材料で構成されている、請求項１から７のいずれか一つに記載の手相形成促進用手袋。
【請求項９】
前記手相形成ストラップ部材は、その一部において二股に分かれている部分を有することを特徴とする、請求項１から８のいずれか一つに記載の手相形成促進用手袋。
【請求項１０】
手首固定ストラップ部材をさらに有することを特徴とする、請求項１から９のいずれか一つに記載の手相形成促進用手袋。
【請求項１１】
前記手相形成ストラップ部材は、前記ストラップ導入穴を通って手袋本体に縫い目状に配置されていることを特徴とする、請求項１から１０のいずれか一つに記載の手相形成促進用手袋。
【請求項１２】
前記手相形成ストラップ部材は、前記手袋本体と一体的に形成されていることを特徴とする、請求項１から１１のいずれか一つに記載の手相形成促進用手袋。
【請求項１３】
前記手相形成ストラップ部材は、親指の付け根と人差し指の付け根の間部分を通り、掌及び手の甲に巻きつけるように配置されることを特徴とする、請求項１から１２のいずれか一つに記載の手相形成促進用手袋。
【請求項１４】
前記手相形成ストラップ部材は、円環形状を有していることを特徴とする、請求項１から１３のいずれか一つに記載の手相形成促進用手袋。
【請求項１５】
前記手相形成ストラップ部材は、一部で分断されていることを特徴とする、請求項１から１３のいずれか一つに記載の手相形成促進用手袋。
【考案の詳細な説明】
【技術分野】
【０００１】
本考案は、手相を改善する器具に関するものである。
【背景技術】
【０００２】
手相学においては、人の掌が有する様々な特徴に、人の運勢が表れていると考えられている。このような、運勢を表すとされている人の掌上に存在する特徴部分を手相という。近年、この手相を用いて自らの将来を占う手相占いが盛んである。特に、掌の皺によって形成された手相線と呼ばれる線には、その人の性格や、その人生で起こる様々な事柄の内容、その事柄が起こる時期等が表れているとされ、手相を鑑定する上で重視される。
【０００３】
手相を鑑定してもらった結果、手相が悪いと鑑定された場合、不安や喪失感に見舞われ、常に否定的な心理的反応を生じるようになり、自信や希望、前向きな姿勢を取ることができなくなってしまう人が少なくない。このような問題を解決するため、悪い手相を改善する手段として、従来、掌の外観を変える、もしくは掌に既存の良好な手相線を更に強調する方法が提案されている。例えば、掌に直接的に線を書き込む方法、外科的手術により皺を形成する方法、針による治療や電磁波、摩擦による治療等が提案されている。中でも外科的に掌に傷をつけたりする必要がなく、誰でも簡単に実施できる手相改善方法として、手にバンド状の用具を巻きつけて掌に皺を形成する方法が従来より存在している（例えば、特許文献１を参照）。
【先行技術文献】
【特許文献】
【０００４】
【特許文献１】特開２００４−３２１３６１号公報
【０００５】
しかしながら、このような従来の用具を用いた場合、手の動作がバンドにより著しく拘束され、用具を装着している間はその手を使った作業が十分に行えなくなるといった不具合があった。
【０００６】
また、これらの用具を手に取り付ける際に、ずれることなく毎回正しい取り付け位置に正確に用具を装着することが極めて困難であり、取り付け位置がずれてしまったことにより、本来意図していた良好な手相線を形成することができず、逆に意図していない悪い手相が形成されてしまうことがあった。
【考案の概要】
【考案が解決しようとする課題】
【０００７】
本考案の目的は、上記のような問題点を解決し、手に装着していても不要に手の動作を制限せず、装着時に正確な装着位置に容易に装着することが可能な、手相形成促進のための用具を提供することにある。
【課題を解決するための手段】
【０００８】
上記課題を解決するために、本考案によれば、手相形成促進用手袋であって、手袋本体と、掌に皺を形成するように掌を締め付けることができるように配置される手相形成ストラップ部材とを有することを特徴とする、手相形成促進用手袋が提供される。この手相形成促進用手袋によれば、掌の親指側と掌の小指側を互いにすぼめるように近づけて、掌上に手首から指先に向かう縦皺を形成した状態で手を固定することができ、誰でも簡単にかつ効率的に良好な手相、例えば良好な縦方向の生命線や運命線等の形成や改善を促進することができる。また、装着時に手の動きを妨げないため、装着しながらでも手を使った作業を通常と変わらず行うことができる。
【図面の簡単な説明】
【０００９】
【図１】本考案の実施の形態にかかる、手の甲側から見た手相形成促進用手袋の正面図である。
【図２】本考案の実施の形態にかかる、手相形成促進用手袋の側面図である。
【図３】本考案の実施の形態にかかる、手相形成促進用手袋の掌側から見た背面図である。
【図４】本考案の実施の形態にかかる、手の甲側から見た、面ファスナーを備えた手相形成促進用手袋である。
【図５】本考案の実施の形態にかかる、手の甲側から見た、留め具を有さない手相形成促進用手袋である。
【図６】本考案の実施の形態にかかる、手の甲側から見た、手袋本体に手相形成ストラップが通過する穴が複数配置された、手相形成促進用手袋である。
【図７】本考案の実施の形態にかかる、手の甲側から見た、手袋本体にストラップ部材ガイドを有する手相形成促進用手袋である。
【図８】本考案の実施の形態にかかる、手の甲側から見た、手相形成ストラップの一端側部分が、手袋本体に固定されている、手相形成促進用手袋である。
【図９】本考案の実施の形態にかかる、手の甲側から見た、手相形成ストラップが手袋本体に固定された、留め具を有さない手相形成促進用手袋である。
【図１０】本考案の実施の形態にかかる、手の甲側から見た、手相形成ストラップが手袋本体に固定された、留め具を有さない手相形成促進用手袋であって、手相形成ストラップが部分的に配置されている手相形成促進用手袋である。
【図１１】本考案の実施の形態にかかる、掌側から見た、手袋本体と手相形成ストラップとが一体に形成された手相形成促進用手袋である。
【考案を実施するための形態】
【００１０】
以下、本考案の好ましい実施の形態を説明する。図１〜図４には、本考案の好ましい実施の形態の一つである、実施形態１が開示されている。図１に示すように、本考案に係る手相形成促進用手袋１は、手指を含めた掌および手の甲領域全体を覆う手袋本体１、長尺状で一定幅を有するベルトからなる手相形成ストラップ部材２、手袋本体１を装着した後、手袋本体１をずれることなく手に確実に固定するために用いられる、手首部分に巻きつけるように配置されている手首固定ストラップ部材３、および手相形成ストラップ部材２が挿通された、手相形成ストラップ部材２の長さを調節するのに用いられる留め具４を有している。手袋本体１は、位置ずれが生じないように手にしっかり装着することが可能であれば、指先が露出するタイプや、一部の指が露出するタイプ、手の甲や掌の一部が露出するタイプ等であってもよい。また、手袋本体１は、綿、ゴム、ナイロン等、通常手袋を作成する上で用いられる素材であればどのような素材を用いることも可能である。
【００１１】
図１〜図４に示すように、手相形成ストラップ部材２および手首固定ストラップ部材３は、手の指に対して略直角方向に、手の甲から掌にかけて一周するように配置されているが、手相形成ストラップ部材２については、親指の付け根と人差し指の付け根の間部分、手の甲、小指の付け根側の手の側面、掌を通る周上の少なくとも一部に配されいればよいが、親指の付け根と人差し指の付け根の間部分を通って掌及び手の甲の略全周にわたって巻きつけるように配置されていることが特に好ましい。
【００１２】
手相形成ストラップ部材２は、手袋本体１に固定されておらず、手袋本体１に沿って摺動可能に取り付けられている。また、手相形成ストラップ部材２の一部は、図１に示されているように、手袋本体１に設けられたストラップ導入穴５を通じて、手袋本体１の内側に導入され、手袋の内側を通過するようにされていてもよい。かかるストラップ導入穴５は、手袋の甲側、側面、掌側のいずれに配置されていてもよいが、特に図１に示すように手の甲側の留め具４の両サイドにそれぞれ配置され、図３に示されているように、手相形成ストラップ部材２が掌側を通過する際には手相形成ストラップ部材２が表面に露出しない構成とされていることが特に好ましい。また、手相形成ストラップ部材２を最終的に手袋本体１の外側に露出させた上で留め具４で固定するため、ストラップ導入穴５を設ける場合には図１に示す通り少なくとも２個設ける必要があるが、偶数個であれば２個である必要はなく、図６に示されているように複数の導入穴５を設けて縫い目状に手相形成ストラップ部材２を通すことも可能である。
【００１３】
また、手相形成ストラップ部材２はループ状であっても、留め具４部分で切断されているタイプのいずれであってもよく、素材もゴム、ナイロン、綿、革等、伸縮性のあるなしにかかわらず、ストラップとして通常用いられる様々な素材が使用可能である。さらに、手相形成ストラップ部材２は、図４に示されているように、その一部である二股部７において二股に分かれる、２本のストラップとなっている部分を有していてもよい。
【００１４】
さらに、手袋本体１にストラップ導入穴５を設けた場合、手袋本体１の内部を手相形成ストラップ部材２が通過する際に、手に直接手相形成ストラップ部材２が接触しないように、ストラップ導入通路（図示せず）を手袋の内側に設けることもできる。このストラップ導入通路は管状をしており、その端部が別々のストラップ導入穴５にそれぞれ接続されている。手相形成ストラップ部材２は、手袋本体の外側から、一方のストラップ導入穴を通過してストラップ導入通路内を通り、他方のストラップ導入穴５を通過して再び手袋本体の外側に出てくるように配置されている。
【００１５】
手袋本体１の手首部分には、図１〜図４に示されているように、手袋を所定の位置で確実に固定するための手首固定ストラップ部材３が設けられている。係る手首固定ストラップ部材３の形状、構成、素材等は、前述した手相形成ストラップ部材２と同様とすることが可能である。なお、係る手首固定ストラップ部材３は省略することもできる。
【００１６】
また、図１〜図４に示されているように、手相形成ストラップ部材２および手首固定ストラップ部材３は、留め具４をそれぞれ有している。係る留め具を操作することによって、前述したストラップ部材の長さを可変的に調整することが可能となっている。留め具４は、ストラップ部材の長さを調整することによって、掌を締め付ける際の締め付け強さを調整し、手相の形成具合を調整するのに用いられるが、その形状はズボンのベルトのバックルのように、ストラップに穴を開けて複数の固定位置を選択できるようにするタイプ、鞄等に付随するショルダーストラップに用いられるような、無段階にストラップ長さを調節することができるタイプ、図４にあるような面ファスナー留め具６を用いてストラップの長さを調節及び固定するタイプ等、既存の様々なタイプが使用可能である。また、係る留め具は開放ボタンのようなスイッチを押すことによって留め具４部分で結合されていたストラップ部材の端部同士の結合が解除される、ワンタッチ式のものであってもよい。上述のズボンのバックルタイプの留め具を用いた場合には、手袋を装着する度に、ストラップに設けられている複数の穴のうち、毎回同じ穴を選択してストラップを締め付ければ、手袋を装着する度に締め付け度合いが変化してしまうことがなく、一定の締め付け強度で手を締め付けることができ、所望する一定の手相を効率よく形成することが可能となる。また、上述の無段階調節可能なタイプの留め具を用いた場合には、ストラップの締め付け具合の微調整が可能となり、装着者一人一人の好む締め付け具合を適切に実現することが可能となる。さらに、上述の面ファスナーを用いたタイプの留め具を用いた場合には、スピーディーで簡単な手袋の着脱およびストラップの締め付けが可能となる。そして、上述のワンタッチで結合が解除可能なタイプの留め具を用いた場合には、面ファスナーを用いた場合よりより確実で強固な締め付けを、極めて簡単な装着動作で実現することが可能となる。
【００１７】
次に、以上のように構成された手相形成促進用手袋の使用方法について説明する。まず、留め具４部分を用いて手相形成ストラップ部材２を緩めるか、あるいは手相形成ストラップ部材２が留め具４を開放することによって分断可能な場合には、留め具４を開放して手相形成ストラップ部材２を留め具４の位置で分断した状態にし、手を容易に挿入可能な状態にして、通常の手袋と同様に手相形成促進用手袋を手に装着する。
【００１８】
この手相形成促進用手袋は掌と手の甲側全体を覆う手袋の形態をしているため、ベルトなどで手に固定する従来の手相形成用具などと比較して、誰でも簡単に手に着脱することが可能であり、装着ミスも起こりにくい。また、装着後に位置ずれを起こしにくく、確実に手の所定位置に装着することが可能であるため、手袋本体１に取り付けられている手相形成ストラップ部材２を確実に手の上の所定の位置に確実に配置することができる。また、手袋形状を有していることによって、装着したまま手を用いた作業を行うことが可能であり、従来の用具のように手に装着した後は装着した手を使えない、ないしは装着した手を使いにくいといった不具合を生じることはなく、短時間の装着から長時間の装着まで、装着者に不都合が生じず、負荷をかけずに対応することが可能となる。図１〜４にあるように、手袋本体１のさらなる確実な装着および位置ずれ防止のために、手袋本体１の手首の位置に手首固定ストラップ部材３を取り付けることも可能である。
【００１９】
次に、留め具４を用いて手相形成ストラップ部材２を締め付ける。前述の通り、留め具４はベルトのバックルタイプ、無段階調節可能なタイプ、図４に示されているような面ファスナー留め具６を用いるタイプなど、既存の様々なタイプのものが使用可能である。留め具４を用いて手相形成ストラップ部材２の、手を周回するストラップ長さを短くしていくことによって、手を締め付けて手相の形成を促進する。
【００２０】
手袋本体１に取り付けられている手相形成ストラップ部材２については、手相形成促進用手袋を手に装着した際に、親指の付け根と人差し指の付け根の間部分、手の甲、小指の付け根側の手の側面、掌を通る周上の少なくとも一部に配されいればよいが、手相形成ストラップ部材２が手の親指の付け根と人差し指の付け根の間部分を通って、掌及び手の甲の略全周にわたって巻きつけるように配置されるように手袋本体１に取り付けられていることが好ましい。手は、力を抜いた状態では、通常掌側に若干丸まるような形状を有しているので、上記のような位置に手相形成ストラップ部材２が配置されることによって、手相形成ストラップ部材２を締め付けると、親指の付け根と人差し指の付け根の間部分と前記小指の付け根側の手の側面が締め付けによって互いに近づくことによって、手が掌側にすぼまるように丸まるため、手の甲側の表皮が伸び、掌側の皮膚がたるんで皺が生じることとなり、手相の形成を的確かつ効率的に促進することが可能となる。なお、手相形成ストラップ部材２の締め付け強さを調整することによって、形成される皺の深さの調整が可能となる。
【００２１】
手相形成ストラップ部材２は、手袋本体１に固定されておらず、摺動可能に取り付けられている。このことによって、例えば手相形成ストラップ部材２を交換する際に、容易に交換することができる。また、手相形成ストラップ部材２を締め付けた際にも、手相形成ストラップ部材２は手袋本体１に対して独立して摺動可能であるため、手袋の局所に余計な負荷がかかるということがなく、かつ手の一部分のみが締め付けられて十分に手相が形成されないという不具合も生じず、掌、手の甲、手の側面の全体を均一に締め付けることが可能である。
【００２２】
手相形成ストラップ部材２の一部は、図１に示されているように、手袋本体１の手の甲側に設けられたストラップ導入穴５を通じて、手袋本体１の内側に導入され、手袋の内側を通過するようにされている。この際、留め具４は図１にあるように手袋本体１の手の甲側で、ストラップ導入穴５から露出した部分の手相形成ストラップ部材２に配置されていることが好ましい。このことによって、装着者が手相形成ストラップ部材２を容易に締め付けることができ、また、手相形成ストラップ部材２が掌側で手袋本体１の外側に露出していないため、手袋を装着したまま作業を行う際に、掌側に露出した手相形成ストラップ部材２に、つかんだものが引っかかったりすることがなく、従来の手袋を装着している際と遜色なく、安全かつ効率的に作業を行うことができる。
【００２３】
また、本考案の手相形成促進用手袋は、手袋の内側、すなわち手袋本体１の内側面と手の間部分に、ストラップ導入穴５同士を連結し、その内部を手相形成ストラップ部材２が通過するようにされた、ストラップ導入通路（図示せず）を配置することができる。係るストラップ導入通路は、手袋本体１の内側に固定され、管状の形状を有しており、手相形成ストラップ部材２が手袋本体１の内部を通過して配置される際にこのストラップ導入通路内部を通るように、手袋本体１の内側からストラップ導入穴５同士を連結している。すなわち、手相形成ストラップ部材２は、ストラップ導入穴５を通じて手袋本体１の内部を通過している部分についても、手に一切接触することなくストラップ導入通路内を通過し、再びストラップ導入穴５から手袋の外に出る構成となるため、例えば手袋本体１を装着する際に、手指が手袋内側で手相形成ストラップ部材２に引っかかり、装着が困難になるようなことはない。また手相形成ストラップ部材２を摺動させた際にも手がストラップに直接触れることはないので、摩擦等で手が痛くなるようなこともない。
【００２４】
手相形成ストラップ部材２は、最終的に手袋本体１の外側に露出させた上で留め具４で固定するため、ストラップ導入穴５を設ける場合には図１に示す通り少なくとも２個設ける必要があるが、偶数個であれば２個である必要はなく、図６に示されているように複数の導入穴５を設けて縫い目状に手相形成ストラップ部材２を通すことも可能である。このように手相形成ストラップ部材２が縫い目状に配置されていることにより、手袋本体１を使用していないときに、手相形成ストラップ部材２が手袋本体１のストラップ導入穴５から抜け落ちにくくなり、かつ意匠性も向上する。
【００２５】
手相形成ストラップ部材２は、図４に示されているように二股部７において二股に分かれ、２本のストラップとなっている部分を有していてもよい。この手相形成ストラップ部材２の二股となっている部分に合わせて、図４に図示されているように、ストラップ導入穴５も隣接して２つ設けることによって、不用意に手相形成ストラップ部材２が摺動してしまうことを防止する。例えば手相形成ストラップ部材２が留め具４の位置で分断可能なタイプであった場合には、手相形成ストラップ部材２が分断された状態にある際に、手相形成ストラップ部材２の端部が摺動することによってストラップ導入穴５の中に入り込んでしまうのを防止し、使用上の煩わしさを解消することができる。
【００２６】
図７には、本考案の好ましい実施の形態の一つである、実施形態２が開示されている。本実施形態においては、原則前述の実施形態１と同様であるが、手相形成ストラップ部材２は手袋本体１の内部に導入されず、手袋本体１の外周に設けられたストラップ部材ガイド８を通って、手の甲から掌にかけて一周するように配置されている点が実施形態１と異なっている。このような構成とすることによって、使用者の希望や用途に応じてより簡単に手相形成ストラップ部材２を交換することが可能となり、かつ実施形態１に示されたようにストラップ導入穴５を通じて手相形成ストラップ部材２を手袋本体１内に導入する場合に比べて構造を簡略化することができ、製造が容易になる。ストラップ部材ガイド８は、図７に示されているように所定間隔を空けて複数配置されていてもよいし、一つの通路を形成するストラップ部材ガイド８を、留め具４の部分を除いて手袋本体１の全周を全て取り囲むように配置してもよい。このように配置した場合、手相形成ストラップ部材２が掌側にむき出しで配置されなくなるため、作業時に手相形成ストラップ部材２や、掌側に配された複数のストラップ部材ガイド８が作業対象に引っかかり、作業を阻害するようなことがなくなる。また、掌側に配される手相形成ストラップ部材２の一部分は実施形態１に示された構成を用いて手袋本体１の内部を通過させ、手の側面および手の甲側に配される手相形成ストラップ部材２に関しては本実施形態に示されたストラップ部材ガイド８を通過させるなど、二つの実施形態を組み合わせて用いることも可能である。
【００２７】
図５には、本考案の好ましい実施の形態の一つである、実施形態３が開示されている。本実施形態においては、原則前述の実施形態１および２と同様の構成を有することができるが、留め具が存在しない点が前述の実施形態１および２と異なっている。本実施形態においては、手相形成ストラップ部材２はゴム等の伸縮性のある部材で構成されている。本実施形態における手相形成促進用手袋は、未装着状態においては手相形成ストラップ部材２の収縮力によって収縮した状態にあるが、手に装着する際には手相形成ストラップ部材２が伸びることによって手をスムーズに手袋本体１に挿入し、装着することができる。また、装着完了後は手相形成ストラップ部材２の収縮力によって手が締め付けられるため、手相形成の促進を容易に行うことができる。
【００２８】
図８には、本考案の好ましい実施の形態の一つである、実施形態４が開示されている。本実施形態においては、原則前述の実施形態１および２と同様の構成を有することができるが、手相形成ストラップ部材２は摺動可能ではなく、手袋本体１の手の甲側であって、留め具４の近傍左側ないし右側にある固定部において手袋本体１に固定されている点が異なっている。手相形成ストラップ部材２の一方の端部は、留め具４の左右いずれか一端側に延出し、近端固定部１１において手袋本体１に固定されている近端部９、および、留め具４の他方側に延出し、掌側および手の側面を通って手の甲側に伸び、遠端固定部１１において手袋本体１に固定されている、遠端部１０を有している。留め具４から近端部９、および遠端部１０までの手相形成ストラップ部材２の長さは、相対的に遠端部１０までの距離が長くされている。
【００２９】
図８においては、近端部９および遠端部１０は、手袋本体１の内側の面と外側の面のほぼ同じ場所に配置されている近端固定部１１および遠端固定部１２において手袋本体１にそれぞれ固定されているが、近端部９と遠端部１０の固定場所は同一であっても、または離れていてもよく、また双方を手袋内側の面あるいは外側の面に配置することもできる。但し、締め付けよって掌側が丸まるようにし、効率的に掌に手相を形成するためには、近端固定部１１は手の甲側に配置されている必要があり、遠端固定部１２は掌側、または、さらに好ましくは掌側を通って近端固定部１１の近傍の手の甲側に設けることが好ましい。図８においては、図１と同様に手相形成ストラップ部材２がストラップ導入穴５を通って手袋内部に導入されているが、図６に示すように縫い目状に手相形成ストラップ部材２を露出させることも、図７に示すようにストラップ部材ガイドを通すように配置することも可能である。上記のような構成を有することによって、手相形成ストラップ部材２が回転し、留め具４の位置がずれてしまい使いにくくなることを防止し、また、未使用時に手相形成ストラップ部材２が手袋本体１より抜け落ちてしまうことを防ぐことができる。
【００３０】
図９および図１０には、本考案の好ましい実施の形態の一つである、実施形態５が開示されている。本実施形態においては、原則前述の実施形態１および２と同様の構成を有することができるが、実施形態３において開示したように留め具を有さない手相形成ストラップ部材２を用いていること、および、手相形成ストラップ部材２が手袋本体１に固定されている点が異なっている。本実施形態における手相形成ストラップ部材２は、実施形態３と同様に、ゴム等の伸縮性のある部材で構成されている。このような構成を有することによって、手相形成促進用手袋を装着する際には手相形成ストラップ部材２が伸びるため手の挿入が容易であり、装着完了後は手相形成ストラップ部材２の収縮力によって手が締め付けられるため、手相形成の促進を容易に行うことができる。
【００３１】
図９には、本実施形態の手相形成促進用手袋が開示されている。手相形成ストラップ部材２は、実施形態１に示されているように、手相形成促進用手袋を手に装着した際に、親指の付け根と人差し指の付け根の間部分、手の甲、小指の付け根側の手の側面、掌を通る周上の少なくとも一部に配されいればよいが、手相形成ストラップ部材２が手の親指の付け根と人差し指の付け根の間部分を通って、掌及び手の甲の略全周にわたって巻きつけるように配置されるように手袋本体１に固定されていることが好ましい。この際、手相形成ストラップ部材２は、全周にわたって手袋本体１に固定されていても、部分的に固定されていてもよい。このような構成を有していることによって、手相形成促進用手袋を装着する際に手が引っかかることがなく、スムーズに手相形成促進用手袋を装着することができる。また、手袋本体１の内側に、手相形成ストラップ部材２が固定されるようにしても、ストラップ導入穴を通じて手袋の表裏に縫い目状に手相形成ストラップ部材２を配して、手袋の表と裏に固定されるようにしてもよい。手相形成ストラップ部材２を全て手袋の内側に配した場合には、手袋上に突出物がなくなるため、作業時の引っかかり等が生じることがなく、手袋をはめた状態での作業性が向上し、縫い目状に配した場合には手袋本体１と手相形成ストラップ部材２の確実で強固な固定が実現する。
【００３２】
図１０には、本実施形態の変形例が開示されている。図１０においては、手相形成ストラップ部材２は手袋本体１の全周にわたって存在しておらず、掌側と手の側面、および手の甲の一部のみに配置されている。その他の点では実施形態５と同様である。このように手相形成ストラップ部材２を配置することによって、意匠性が向上し、かつ使用材料を低減することが可能となる。なお、手相形成ストラップ部材２は、掌側のみに配置されていても、掌と手の側面のみに配置されていても、あるいは掌側、手の側面、手の甲側のすべてにわたって配置されていてもよいが、手相の形成を効率的に促進するためには、掌がすぼまるように、少なくとも掌側には手相形成ストラップ部材２が配置されているのが好ましい。また、手相形成ストラップ部材２は、断続的に手袋に配置されていてもよい。この場合、手袋の外側面、内側面のどちらかもしくは両方に手相形成ストラップ部材２が配されていても、掌側、手の側面側、手の甲側のいずれに手相形成ストラップ部材２が配されていてもよいが、手相の形成を効率的に促進するためには、掌がすぼまるように、掌側に少なくとも一つの手相形成ストラップ部材２が配されているのが好ましい。
【００３３】
図１１には、本考案の好ましい実施の形態の一つである、実施形態６が開示されている。本実施形態においては、原則前述の実施形態１および２と同様の構成を有することができるが、手相形成ストラップ部材２が手袋の一部として一体形成されている点が異なっている。本実施の形態においては、手の掌がすぼまるようにされ、手相の形成を効率的に促進するために、図示するように、手袋本体１と一体形成された手相形成ストラップ部材２は、掌側に設けられていることが好ましい。図１１では留め具は面ファスナー留め具６で表記されているが、実施形態１に挙げられたその他の留め具を用いることも可能である。また、図１１においては手相形成ストラップ部材２は２本だが、１本とすることも、あるいは３本以上とすることも可能である。さらに、図１１においては指先が覆われないタイプの手袋本体１が記載されているが、実施形態１において示したように、位置ずれが生じないように手にしっかり装着することが可能であれば、指先が露出しないタイプや、一部の指が露出するタイプ、手の甲や掌の一部が露出するタイプ等であってもよい。このような構成を有していることによって、別途手相形成ストラップ部材２を作成する必要がなくなり、また手相形成ストラップ部材２は手袋本体１と一体形成されているため、不使用時、保管時等に手相形成ストラップ部材２が脱落してしまうといった問題を防ぐことができる。
【符号の説明】
【００３４】
１  手袋本体
２  手相形成ストラップ部材
３  手首固定ストラップ部材
４  留め具
５  ストラップ導入穴
６  面ファスナー留め具
７  二股部
８  ストラップ部材ガイド
９  近端部
１０  遠端部
１１  近端固定部
１２  遠端固定部
【図１】
0003161609.tif 000003
【図２】
0003161609.tif 000004
【図３】
0003161609.tif 000005
【図４】
0003161609.tif 000006
【図５】
0003161609.tif 000007
【図６】
0003161609.tif 000008
【図７】
0003161609.tif 000009
【図８】
0003161609.tif 000010
【図９】
0003161609.tif 000011
【図１０】
0003161609.tif 000012
【図１１】
0003161609.tif 000013